(57)【特許請求の範囲】
【請求項１】
壁に取り付けられる取付板部およびこの取付板部から前方に向かって水平に延びる支持板部を一体に有するベースと、
上流側端部に一次側ガス管が接続されるとともに下流側端部にガスメータの導入口が接続される一次側接続管と、
上流側端部にガスメータの導出口が接続されるとともに下流側端部に二次側ガス管が接続される二次側接続管と、
上記一次側接続管の下流側端部と上記二次側接続管の上流側端部とを互いに離間した状態で固定する載置板と、
上記一次側接続管の上流側端部と上記二次側接続管の下流側端部とを互いに離間した状態で把持する把持具と、を備え
上記載置板は、上記ベースの支持板部の上面に載置され、上記壁に対して接近、離間する方向に位置調節可能に上記支持板部に連結されており、
上記把持具は、上記ベースの支持板部の下面に当接する連結片部を有し、この連結片部は上記壁に対して接近、離間する方向に位置調節可能に上記支持板部に連結されていることを特徴とするガスメータの支持装置。
【請求項２】
上記載置板と上記支持板部とのいずれか一方は、前後方向に延びて第１ボルトが挿通される第１長孔を有し、他方は、上記第１長孔を貫通した第１ボルトが螺合される第１ねじ穴を有し、
上記支持板部と上記把持具の連結片部とのいずれか一方は、前後方向に延びて第２ボルトが挿通される第２長孔を有し、他方は、上記第２長孔を貫通した第２ボルトが螺合される第２ねじ穴を有することを特徴とする請求項１に記載のガスメータの支持装置。
【請求項３】
上記載置板が上記第１長孔を有するとともに、上記支持板部が上記第１ねじ穴を有しており、
上記支持板部が上記第２長孔を有するとともに、上記把持具の連結片部が上記第２ねじ穴を有していることを特徴とする請求項２に記載のガスメータの支持装置。
【請求項４】
上記把持具は金属製の板材で構成されており、上記ベースの取付板部と平行をなして左右方向に延びる細長い基板部と、この基板部の両端に連なり円弧状をなす左右の把持部と、この把持部の先端に連なり上記基板部に対向する受板部と、上記基板部の上縁に連なり基板部と直交する上記連結片部とを一体に有し、
上記一次側接続管の上流側端部と上記二次側接続管の下流側端部が、それぞれ上記左右の把持部に把持され、上記受板部と上記基板部が締付手段により互いに接近する方向に締め付けられた状態で連結されていることを特徴とする請求項1〜３のいずれかに記載のガスメータの支持装置。
【請求項５】
上記一次側接続管の上流側端部および上記二次側接続管の下流側端部は、それぞれ外周面に上記把持部が嵌合する環状の嵌合凹部を有することを特徴とする請求項４に記載のガスメータの支持装置。
【請求項６】
上記一次側接続管の上流側端部および上記二次側接続管の下流側端部は、それぞれ外周面に係合凸部を有し、
上記各把持部は、上記係合凸部が係合する係合孔を有することを特徴とする請求項４または５に記載のガスメータの支持装置。
【請求項７】
上記ベースの支持板部の左右の側縁には下方に折り曲げられて直線状に延びる折曲縁部が形成され、上記把持具の基板部の上縁には、上記折曲縁部がスライド可能に嵌め込まれる切欠が形成されていることを特徴とする請求項１〜６のいずれかに記載のガスメータの支持装置。
【発明の詳細な説明】
【技術分野】
【０００１】
本発明は、ガスメータを壁に取り付けるための支持装置に関する。
【背景技術】
【０００２】
ガスメータは、屋外や、集合住宅のメータボックス、パイプシャフト等に設置される。設置に際して、ガスメータは、支持装置を介して建物等の壁に取り付けられる。設置箇所により、ガス管と壁との距離は様々であり、壁が凹凸を有していたり、ガスメータの設置空間が水道管等によって遮られていたりする。そのため、ガスメータの支持装置によっては、ガスメータと壁との距離を調節できるものがある。
【０００３】
下記特許文献１のガスメータの支持装置は、上側ベースと、下側ベースと、一次側接続管と、二次側接続管と、載置板と、把持具と、を備えている。
上記一次側接続管は、上流側端部に一次側ガス管が接続されるとともに下流側端部にガスメータの導入口が接続される。上記二次側接続管は、上流側端部にガスメータの導出口が接続されるとともに下流側端部に二次側ガス管が接続される。
上記載置板は、上記一次側接続管の下流側端部と上記二次側接続管の上流側端部とを互いに離間した状態で固定する。
【０００４】
上記把持具は、左右に円弧形状の把持部を有する第１板材と、この第１板材に連結される第２板材とを有しており、上記一次側接続管の上流側端部と上記二次側接続管の下流側端部を、これら左右の把持部に挿入し、第１板材と第２板材とで挟んだ状態で把持する。
【０００５】
上記載置板の支持構造について説明する。上記上側ベースは、壁に取り付けられる第１取付板部およびこの第１取付板部から前方に向かって水平に延びる第１支持板部を有する。上記載置板は、この第１支持板部の上面に載置され、壁に対して接近、離間する方向に位置調節可能に第１支持板部に連結されている。
【０００６】
上記把持具の支持構造について説明する。上記下側ベースは、壁に取り付けられる第２取付板部およびこの第２取付板部から前方に向かって水平に延びる第２支持板部を有する。上記把持部の第２板材は連結片部を有しており、この連結片部が下側ベースの第２支持板部の上面に載置され、壁に対して接近、離間する方向に位置調節可能に第２支持板部に連結されている。
【先行技術文献】
【特許文献】
【０００７】
【特許文献１】意匠登録第１３２５２０４号公報
【発明の概要】
【発明が解決しようとする課題】
【０００８】
特許文献１のガスメータの支持装置は、上側と下側の２つのベースを必要とし、載置板は上側ベースの第１支持板部に連結され、把持具は下側ベースの第２支持板部に連結されているため、部品点数が多く構造が複雑になるとともに、壁への取付作業が煩雑であった。
【課題を解決するための手段】
【０００９】
上記課題を解決するために、本発明のガスメータの支持装置は、ベースと、一次側接続管と、二次側接続管と、載置板と、把持具とを備える。上記ベースは、壁に取り付けられる取付板部およびこの取付板部から前方に向かって水平に延びる支持板部を一体に有する。上記一次側接続管は、上流側端部に一次側ガス管が接続されるとともに下流側端部にガスメータの導入口が接続される。上記二次側接続管は、上流側端部にガスメータの導出口が接続されるとともに下流側端部に二次側ガス管が接続される。上記載置板は、上記一次側接続管の下流側端部と上記二次側接続管の上流側端部とを互いに離間した状態で固定する。上記把持具は、上記一次側接続管の上流側端部と上記二次側接続管の下流側端部とを互いに離間した状態で把持する。上記載置板は、上記ベースの支持板部の上面に載置され、上記壁に対して接近、離間する方向に位置調節可能に上記支持板部に連結されている。上記把持具は、上記ベースの支持板部の下面に当接する連結片部を有し、この連結片部は上記壁に対して接近、離間する方向に位置調節可能に上記支持板部に連結されている。
【００１０】
上記構成によれば、ベースが一部品で構成されるので、ガスメータの支持装置を、少ない部品点数で簡単な構造にすることができ、壁への取付作業を効率良く行うことができる。また、ベースの一つの支持板部に対して載置板および把持具を連結するので、支持装置の組み立ておよびガスメータの位置調節の手間を低減することができる。
【００１１】
好ましくは、上記載置板と上記支持板部とのいずれか一方は、前後方向に延びて第１ボルトが挿通される第１長孔を有し、他方は、上記第１長孔を貫通した第１ボルトが螺合される第１ねじ穴を有し、上記支持板部と上記把持具の連結片部とのいずれか一方は、前後方向に延びて第２ボルトが挿通される第２長孔を有し、他方は、上記第２長孔を貫通した第２ボルトが螺合される第２ねじ穴を有する。
【００１２】
好ましくは、上記載置板が上記第１長孔を有するとともに、上記支持板部が上記第１ねじ穴を有しており、上記支持板部が上記第２長孔を有するとともに、上記把持具の連結片部が上記第２ねじ穴を有している。
上記構成によれば、上方から挿通させたボルトにより、載置板と支持板部を連結し、支持板部と把持具を連結するので、支持装置の組立およびガスメータの位置調節を容易にすることができる。
【００１３】
好ましくは、上記把持具は金属製の板材で構成されており、上記ベースの取付板部と平行をなして左右方向に延びる細長い基板部と、この基板部の両端に連なり円弧状をなす左右の把持部と、この把持部の先端に連なり上記基板部に対向する受板部と、上記基板部の上縁に連なり基板部と直交する上記連結片部とを一体に有する。上記一次側接続管の上流側端部と上記二次側接続管の下流側端部が、それぞれ上記左右の把持部に把持され、上記受板部と上記基板部が締付手段により互いに接近する方向に締め付けられた状態で連結されている。
上記構成によれば、把持具が一部品で構成されるので、部品点数を削減できるとともに、
一次側、二次側接続管の把持作業を効率良く行うことできる。
【００１４】
好ましくは、上記一次側接続管の上流側端部および上記二次側接続管の下流側端部は、それぞれ外周面に上記把持部が嵌合する環状の嵌合凹部を有する。
上記構成によれば、把持具に把持された一次側接続管の上流側端部および二次側接続管の下流側端部が上下方向にずれることを防止できる。
【００１５】
好ましくは、上記一次側接続管の上流側端部および上記二次側接続管の下流側端部は、それぞれ外周面に係合凸部を有し、上記各把持部は、上記係合凸部が係合する係合孔を有する。
上記構成によれば、把持具に把持された一次側接続管の上流側端部および二次側接続管の下流側端部がずれることを防止できる。
【００１６】
好ましくは、上記ベースの支持板部の左右の側縁には下方に折り曲げられて直線状に延びる折曲縁部が形成され、上記把持具の基板部の上縁には、上記折曲縁部がスライド可能に嵌め込まれる切欠が形成されている。
上記構成によれば、折曲縁部によりベースの支持板部が補強されるとともに、把持具の位置調節時に把持具を壁に対して接近離間する方向に案内することができる。
【発明の効果】
【００１７】
本発明によれば、ガスメータと壁との距離が調節可能なガスメータの支持装置の部品点数を少なくして構造を簡単にすることができるとともに、支持装置の組み立て作業、壁への取付作業を効率良く行うことができる。
【図面の簡単な説明】
【００１８】
【図１】本発明の第１実施形態に係るガスメータの支持装置の分解斜視図である。
【図２】同ガスメータの支持装置を組み立てるための第１工程を示す斜視図である。
【図３】同ガスメータの支持装置を組み立てるための第２工程を示す斜視図である。
【図４】同ガスメータの支持装置の斜視図である。
【図５】同ガスメータの支持装置の平面図である。
【図６】同ガスメータの支持装置の右側面図である。
【図７】図６のVII−VII矢視断面図である。
【図８】同ガスメータの支持装置の正面図である。
【図９】本発明の第２実施形態に係るガスメータの支持装置の右側面図である。
【図１０】図９のＸ−Ｘ矢視断面図である。
【発明を実施するための形態】
【００１９】
［第１実施形態］
以下、本発明の第１実施形態をなすガスメータの支持装置を、図１〜図８を参照しながら説明する。この実施形態のガスメータの支持装置１は、ベース１０と、一次側接続管２０と、二次側接続管３０と、載置板４０と、把持具５０とを備えている。
【００２０】
図１に示すように、ベース１０は、金属製の平板を成形したものであり、上下方向に延びて壁Ｗに取り付けられる取付板部１１と、この取付板部１１に対して９０°折り曲げて形成され、取付板部１１から前方（壁Ｗから遠ざかる方向）に向かって水平に延びる支持板部１２とを、一体に有している。取付板部１１は、同一平面上に上側垂直板部１１ａと下側垂直板部１１ｂとを有している。
【００２１】
上側垂直板部１１ａは、下側垂直板部１１ｂの上部を切り起こすことにより形成されている。上側垂直板部１１ａは水平方向に延びる長孔１１ｃを有している。
下側垂直板部１１ｂは、その左右部に形成された上下方向に延びる一対の長孔１１ｄ，１１ｄと、その下部に形成された水平方向に延びる長孔１１ｅを有している。
【００２２】
図１に示すように、支持板部１２は、その後部（壁Ｗに近い部位）に互いに平行に前後方向（壁Ｗに対して接近、離間する方向）へ延びる一対の長孔（第２長孔）１２ａ，１２ａを有するとともに、前端部の左右に一対のねじ穴（第１ねじ穴）１２ｂ，１２ｂを有している。支持板部１２の左右の側縁には、下方に折り曲げられて前後方向に直線状に延びる折曲縁部１３，１３が形成されており、支持板部１２が補強されている。
【００２３】
一次側接続管２０は、逆「Ｕ」字状をなしており、下流側端部２１が上流側端部２２の前方に位置するように配置されている。上流側端部２２には、図示しない元栓側のガス管（一次側ガス管）、例えば鋼管が接続される。下流側端部２１には、図示しないガスメータの導入口が接続ナット２１ａによって接続される。
【００２４】
一次側接続管２０の上流側端部２２は、その外周面に後述する把持具５０の把持部５３が嵌合する環状の嵌合凹部２２ａを有している。下流側端部２１は、後述する載置板４０に固定するための固定腕部２１ｂを有しており、この固定腕部２１ｂには挿通孔が形成されている。一次側接続管２０の内部には、図示しない弁体が設けられており、この弁体をハンドル２３によって回動させることにより、一次側接続管２０の通路が開閉される。
【００２５】
二次側接続管３０は、一次側接続管２０と同様に、逆「Ｕ」字状をなしており、その上流側端部３１が下流側端部３２の前方に位置するように配置されている。上流側端部３１には、図示しないガスメータの導出口が接続ナット３１ａによって接続される。下流側端部３２には、建物内に引き込まれる図示しないガス管（二次側ガス管）、例えばフレキシブルガス管が接続される。
【００２６】
二次側接続管３０の上流側端部３１は、後述する載置板４０に固定するための固定腕部３１ｂ（図５）を有しており、この固定腕部３１ｂには挿通孔が形成されている。また、上流側端部３１には、図示しない検圧プラグが取り付けられる検圧孔３３が設けられている。下流側端部３２は、その外周面に後述する把持具５０の把持部５３が嵌合する環状の嵌合凹部３２ａを有している。
【００２７】
上記載置板４０は、金属製の平板からなり、ベース１０の支持板部１２の上面に載置される。載置板４０の前端部には、左右に離間した一対の半円状の取付凹部４０ａ，４０ａが形成されるとともに、これら取付凹部４０ａ，４０ａに隣接して一対の円弧状のガイド孔４０ｂ，４０ｂが形成されている。
【００２８】
載置板４０の中央部には、上記ベース１０の支持板部１２のねじ穴１２ｂ，１２ｂと対向する箇所に、互いに平行に前後方向へ延びる一対の長孔（第１長孔）４０ｃ，４０ｃが形成されている。
【００２９】
上記載置板４０への接続管２０，３０の固定について図４、図５、図８を参照しながら説明する。
載置板４０の一方の取付凹部４０ａには、一次側接続管２０の下流側端部２１が挿入され、固定腕２１ｂの挿通孔および一方のガイド孔４０ｂを貫通するボルト６１と、ナット６２により、下流側端部２１が載置板４０に固定される。
【００３０】
同様に、載置板４０の他方の取付凹部４０ａには、二次側接続管３０の上流側端部３１が挿入され、固定腕３１ｂの挿通孔および他方のガイド孔４０ｂを貫通するボルト６１と、ナット６２により、上流側端部３１が載置板４０に固定される。
このようにして、一次側接続管２０の下流側端部２１と二次側接続管３０の上流側端部３１とは、左右方向に互いに離間した状態で載置板４０に固定される。
【００３１】
上記載置板４０の上記ベース１０への連結について図３〜図５、図８を参照しながら説明する。載置板４０の第１長孔４０ｃ，４０ｃを貫通した第１ボルト６３，６３を、それぞれベース１０の支持板部１２の第１ねじ穴１２ｂ，１２ｂに螺合することにより、載置板４０は支持板部１２に連結されている。第１ボルト６３，６３を緩めることにより、載置板４０は第１長孔４０ｃ、４０ｃの長手方向に位置調節可能になっている。
【００３２】
上記把持具５０は、図１に示すように金属製の板材からなり、ベース１０の取付板部１１と平行をなして左右方向に延びる細長い形状の基板部５１と、基板部５１の上縁に連なり基板部５１と直交して前方に延びる連結片部５２と、基板部５１の左右の両端に連なり円弧状をなす一対の把持部５３，５３と、把持部５３，５３の先端に連なり基板部５１に対向する受板部５４，５４とを、一体に有している。
【００３３】
把持具５０は、ベース１０の支持板部１２の下側に配置される。連結片部５２は、ベース１０の支持板部１２の下面と対向しており、支持板部１２の第２長孔１２ａ，１２ａと対向する箇所に一対のねじ穴（第２ねじ穴）５２ａ，５２ａを有している。
【００３４】
受板部５４，５４は、ボルト（締付手段）６４，６４を挿通するための長孔５４ａ，５４ａを有している。
基板部５１は、受板部５４，５４の長孔５４ａ，５４ａと対向する箇所に一対のねじ穴（締結手段）５１ａ，５１ａを有するとともに、上縁の上記連結片部５２の左右に一対の切欠５１ｂ，５１ｂを有している。
【００３５】
上記把持具５０による接続管２０，３０の把持について説明する。図２〜図５に示すように、一次側接続管２０の上流側端部２２と二次側接続管３０の下流側端部３２が互いに離間して、それぞれが把持具５０の左右の把持部５３，５３に把持されている。詳述すると、把持部５３，５３を弾性変形させて開いた状態で上流側端部２２と二次側接続管３０の下流側端部３２を把持部５３，５３に挿入し、挿入後に把持部５３，５３を元に戻す。把持具５０の受板部５４，５４の長孔５４ａ，５４ａをそれぞれ貫通するボルト６４，６４を、それぞれ基板部５１のねじ穴５１ａ，５１ａに螺合し、受板部５４，５４が基板部５１に接近するように締め付けることにより、一次側接続管２０の上流側端部２２と二次側接続管３０の下流側端部３２が把持具５０に把持されている。
【００３６】
一次側接続管２０の上流側端部２２および二次側接続管３０の下流側端部３２の外周面にそれぞれ形成された環状の嵌合凹部２２ａ，３２ａに、把持具５０の把持部５３，５３がそれぞれ嵌合するので、上流側端部２２および下流側端部３２が上下方向にずれることが防止される。
【００３７】
把持具５０の上記ベース１０への連結について説明する。図３〜図５、図７、図８に示すように、ベース１０の支持板部１２の第２長孔１２ａ，１２ａを貫通した第２ボルト６６，６６が、それぞれ把持具５０の連結片部５２の第２ねじ穴５２ａ，５２ａに螺合することにより、把持具５０は支持板部１２に連結されている。図８に示すように、連結片部５２は、支持板部１２の下面に当接し、ベース１０の折曲縁部１３，１３は、把持具５０の切欠５１ｂ，５１ｂに嵌め込まれている。第２ボルト６６，６６を緩めることにより、把持具５０は第２長孔１２ａ，１２ａの長手方向に位置調節可能になっている。
【００３８】
次に図１〜図４を参照して、この実施形態のガスメータの支持装置１の組み立てについて説明する。
先ず、一次側接続管２０の下流側端部２１と二次側接続管３０の上流側端部３１を載置板４０に固定する。次に、図２に示すように、一次側接続管２０の上流側端部２２と二次側接続管３０の下流側端部３２を把持具５０に把持させる。これにより、図３に示すように、一次側接続管２０、二次側接続管３０、載置板４０、および把持具５０により、サブアッセンブリＳが構成される。
【００３９】
次に、サブアッセンブリＳをベース１０に取り付ける。図３に示すように、サブアッセンブリＳの後方から載置板４０と把持具５０との間の隙間に、ベース１０の支持板部１２の前端を挿入する。このとき、支持板部１２の折曲縁部１３，１３は、把持具５０の切欠５１ｂ，５１ｂに嵌りスライドする。所望の位置で、第１ボルト６３，６３により載置板４０とベース１０を連結するとともに第２ボルト６６，６６で支持板部１２と把持具５０を連結する。
【００４０】
このようにして、組み立てられたガスメータの支持装置１（図４）は、図５に示すように、ベース１０の取付板部１１が壁Ｗに宛がわれて、ビス６７により固定されて壁Ｗに取り付けられる。支持装置１にガスメータを取り付けるに際し、その設置空間に何らかの障害物があった場合には、第１ボルト６３，６３および第２ボルト６６，６６を緩め、サブアッセンブリＳを壁Ｗの表面に対して接近または離間する方向に位置調節して、ガスメータが障害物と干渉しない箇所に配置して、再固定すればよい。
【００４１】
上記構成のガスメータの支持装置１においては、上記サブアッセンブリＳを壁Ｗに取り付けるベース１０が一部品からなるので、部品点数を少なくすることができるとともに、構造を簡単にすることができる。また、ベース１０にサブアッセンブリＳを取り付ける作業も簡単である。
また、載置板４０および把持具５０を支持板部１２に連結するための第１ボルト６３，６３および第２ボルト６６，６６は、上方からねじ込むことができるので、その連結作業およびガスメータの位置調節作業を容易に行なうことができる。
【００４２】
次に、本発明の他の実施形態について説明する。なお、以下の実施形態については、上記実施形態と異なる構成だけを説明することとし、同様な構成部分には同一符号を付してその説明を省略する。
［第２実施形態］
図９、図１０は、本発明の第２実施形態を示す。この実施形態においては、一次側接続管２０の上流側端部２２および二次側接続管３０の下流側端部３２は、それぞれ外周面に係合凸部２２ｂ，３２ｂを有している。把持具５０の各把持部５３，５３は係合孔５３ａ，５３ａを有しており、この係合孔５３ａ，５３ａに上記係合凸部２２ｂ，３２ｂが係合している。これにより、把持具５０に把持された上流側端部２２および下流側端部３２がずれることを防止できる。
【００４３】
なお、本発明は、上記実施形態に限定されるものではなく、その要旨を逸脱しない範囲において各種の変形例を採用することができる。
載置板に第１ねじ穴が形成され、ベースの支持板部に第１長孔が形成されてもよい。また、支持板部に第２ねじ穴が形成され、連結片部に第２長孔が形成されてもよい。
上記実施形態では、ガスメータの支持装置を組み立てた後、ベースの取付板部を壁の表面に取り付けているが、ベースを先に壁に取り付けた後、サブアッセンブリをベースの支持板部に取り付けてもよい。
上記実施形態では、第１長孔、第１ねじ穴、第２長孔および第２ねじ穴をそれぞれ一対ずつ形成しているが、これらは、それぞれ１つでもよく３つ以上形成してもよい。
ベースの取付板部は、壁に直接ではなく壁に固定された部材を介して間接的に壁に取り付けてもよい。
【産業上の利用可能性】
【００４４】
本発明は、屋外や、集合住宅のメータボックス、パイプシャフト等にガスメータを設置する場合に適用することができる。
【符号の説明】
【００４５】
１    ガスメータの支持装置
１０  ベース
１１  取付板部
１２  支持板部
１２ａ，１２ａ  第２長孔
１２ｂ，１２ｂ  第１ねじ穴
１３，１３  折曲縁部
２０  一次側接続管
２１  下流側端部
２２  上流側端部
２２ａ  嵌合凹部
２２ｂ  係合凸部
３０  二次側接続管
３１  上流側端部
３２  下流側端部
３２ａ  嵌合凹部
３２ｂ  係合凸部
４０  載置板
４０ｃ，４０ｃ  第１長孔
５０  把持具
５１  基板部
５１ａ，５１ａ  ねじ穴（締付手段）
５１ｂ，５１ｂ  切欠
５２  連結片部
５２ａ，５２ａ  第２ねじ穴
５３，５３  把持部
５３ａ，５３ａ  係合孔
５４，５４  受板部
６４，６４  ボルト（締付手段）
【図１】
0006696640.tif 000002
【図２】
0006696640.tif 000003
【図３】
0006696640.tif 000004
【図４】
0006696640.tif 000005
【図５】
0006696640.tif 000006
【図６】
0006696640.tif 000007
【図７】
0006696640.tif 000008
【図８】
0006696640.tif 000009
【図９】
0006696640.tif 000010
【図１０】
0006696640.tif 000011